(57)【要約】【課題】　襠部がファスナーの輪郭部材の間に挟み込まれないようにしたスライドファスナーを有した襠付きバッグを提供すること。【解決手段】　襠付きバッグ１０が、第１と第２の壁部１２、１４と、バッグ１０の側部に配設され第１と第２の壁部を連結する第１と第２の襠部１８、２０と、第１と第２の壁部１２、１４に接合され互いに噛合可能な輪郭部材を備えた第１と第２のファスナー部材２８、３０を有するファスナー２６と、ファスナー２６に取付けられたスライダ３８であって、該スライダ３８がファスナー２６に沿って第１の方向に移動する間ファスナー２６を閉じ、ファスナー２６に沿って第１の方向の反対の第２の方向に移動する間ファスナー２６を開くように形成されたスライダ３８とを具備する。【選択図】　　　図１
2004123236.tif 000002
【特許請求の範囲】
【請求項１】
　バッグにおいて、
　第１と第２の壁部と、前記バッグの一側部に配設され前記第１と第２の壁部を連結する第１の襠部と、前記バッグの反対側の側部に配設され前記第１と第２の壁部を連結する第２の襠部と、
　少なくとも主要部分が前記第１の壁部に接合された第１のファスナー部材と、前記第２の壁部に接合された第２のファスナー部材とを具備する柔軟なファスナーであって、前記第１のファスナー部材が第１の輪郭部分を具備し、前記第２のファスナー部材が前記第１の輪郭部分に噛合して該ファスナーを閉じる第２の輪郭部分を具備して成るファスナーと、
　前記ファスナーに取付けられたスライダであって、該スライダが前記ファスナーに沿って第１の方向に移動する間前記ファスナーを閉じ、前記ファスナーに沿って前記第１の方向の反対の第２の方向に移動する間前記ファスナーを開くように形成されたスライダとを具備し、
　前記ファスナーが閉じている間、前記第１と第２の襠部が前記第１と第２の輪郭部分の間に挟まれないようにしたバッグ。
【請求項２】
　前記第１のファスナー部材が、前記第１の壁部の幅よりも長くなっており、前記第１の壁部の両側部を越えて延設されている請求項１に記載のバッグ。
【請求項３】
　前記第２のファスナー部材が前記第１のファスナー部材と同じ長さ有し、前記第２の壁部の両側部を越えて延設されている請求項２に記載のバッグ。
【請求項４】
　前記第１のファスナー部材が前記１の壁部の外表面に接合され、前記第２のファスナー部材が前記第２の壁部の外表面に接合されている請求項３に記載のバッグ。
【請求項５】
　前記第１のファスナー部材が前記１の壁部の内表面に接合され、前記第２のファスナー部材が前記第２の壁部の内表面に接合されている請求項３に記載のバッグ。
【請求項６】
　前記第１と第２のファスナー部材の各々の第１の端部が接合され、かつ、前記第１と第２のファスナー部材の各々の第２の端部が接合されていない請求項３に記載のバッグ。
【請求項７】
　前記第１と第２のファスナー部材の各々の第１の端部が永久的に接合され、かつ、前記第１と第２のファスナー部材の各々の第２の端部が剥離可能なシールにより取着されている請求項３に記載のバッグ。
【請求項８】
　前記第１のファスナー部材の前記第１の端部に第１のエンドストップが配設されており、前記スライダが前記第１のファスナー部材の前記第１の端部から脱離することを防止するように形成されている請求項６に記載のバッグ。
【請求項９】
　前記第１と第２のファスナー部材の接合された第２の端部により形成された第２の端部に第２のエンドストップが設けられており、前記第２のエンドストップは、前記スライダが前記第１のファスナー部材の前記第１の端部から脱離することを防止するように形成されている請求項８に記載のバッグ。
【請求項１０】
　前記ファスナーの下側のある高さ位置において前記バッグをシールする剥離可能なシール手段が設けられている請求項１に記載のバッグ。
【請求項１１】
　前記第１のファスナー部材が、前記第１の輪郭部分に連結された第１のフランジ部を具備し、前記第２のファスナー部材が、前記第２の輪郭部分に連結された第２のフランジ部を具備し、前記バッグは、前記第１の襠部と前記第１の壁部の隣接部分を分断する第１のスリットと、前記第１の襠部と前記第２の壁部の隣接部分を分断する第２のスリットと、前記第２の襠部と前記第１の壁部の隣接部分を分断する第３のスリットと、前記第２の襠部と前記第２の壁部の隣接部分を分断する第４のスリットとを具備し、前記第１のファスナー部材は前記第１と第３のスリットに挿通され、前記第２のファスナー部材は前記第２と第４のスリットに挿通され、前記第１の襠部と前記第１の壁部の隣接部分が前記第１のフランジ部に接合され、前記第１の襠部と前記第２の壁部の隣接部分が前記第２のフランジ部に接合され、前記第２の襠部と前記第１の壁部の隣接部分が前記第１のフランジ部により接合され、前記第２の襠部と前記第２の壁部の隣接部分が前記第２のフランジ部により接合されている請求項１に記載のファスナー。
【請求項１２】
　バッグにおいて、
　第１と第２の壁部と、前記バッグの一側部に配設され前記第１と第２の壁部を連結する第１の襠部と、前記バッグの反対側の側部に配設され前記第１と第２の壁部を連結する第２の襠部と、
　少なくとも主要部分が前記第１の壁部に接合された第１のファスナー部材と、前記第２の壁部に接合された第２のファスナー部材とを具備する柔軟なファスナーであって、前記第１のファスナー部材が第１の輪郭部分を具備し、前記第２のファスナー部材が前記第１の輪郭部分に噛合して該ファスナーを閉じる第２の輪郭部分を具備して成るファスナーと、
　前記ファスナーに取付けられたスライダであって、該スライダが前記ファスナーに沿って第１の方向に移動する間前記ファスナーを閉じ、前記ファスナーに沿って前記第１の方向の反対の第２の方向に移動する間前記ファスナーを開くように形成されたスライダとを具備し、
　前記第１のファスナー部材の第１の端部が前記第２のファスナー部材の第２の端部に接合され、前記第１のファスナー部材が、前記第１の壁部の幅よりも長くなっており、前記第１の壁部の両側部を越えて延設されており、前記第２のファスナー部材が前記第１のファスナー部材と同じ長さ有し、前記第２の壁部の両側部を越えて延設されているバッグ。
【請求項１３】
　前記第１のファスナー部材が前記１の壁部の外表面に接合され、前記第２のファスナー部材が前記第２の壁部の外表面に接合されている請求項１２に記載のバッグ。
【請求項１４】
　前記第１のファスナー部材が前記１の壁部の内表面に接合され、前記第２のファスナー部材が前記第２の壁部の内表面に接合されている請求項１２に記載のバッグ。
【請求項１５】
　前記第１と第２のファスナー部材の各々の第１の端部が接合され、かつ、前記第１と第２のファスナー部材の各々の第２の端部が接合されていない請求項１２に記載のバッグ。
【請求項１６】
　前記第１と第２のファスナー部材の各々の第１の端部が永久的に接合され、かつ、前記第１と第２のファスナー部材の各々の第２の端部が剥離可能なシールにより取着されている請求項１２に記載のバッグ。
【請求項１７】
　前記第１のファスナー部材の前記第１の端部に第１のエンドストップが配設されており、前記スライダが前記第１のファスナー部材の前記第１の端部から脱離することを防止するように形成されている請求項１５に記載のバッグ。
【請求項１８】
　前記第１と第２のファスナー部材の接合された第２の端部により形成された第２の端部に第２のエンドストップが設けられており、前記第２のエンドストップは、前記スライダが前記第１のファスナー部材の前記第１の端部から脱離することを防止するように形成されている請求項１７に記載のバッグ。
【請求項１９】
　前記ファスナーの下側のある高さ位置において前記バッグをシールする剥離可能なシール手段が設けられている請求項１２に記載のバッグ。
【請求項２０】
　前記第１のファスナー部材が、前記第１の輪郭部分に連結された第１のフランジ部を具備し、前記第２のファスナー部材が、前記第２の輪郭部分に連結された第２のフランジ部を具備し、前記バッグは、前記第１の襠部と前記第１の壁部の隣接部分を分断する第１のスリットと、前記第１の襠部と前記第２の壁部の隣接部分を分断する第２のスリットと、前記第２の襠部と前記第１の壁部の隣接部分を分断する第３のスリットと、前記第２の襠部と前記第２の壁部の隣接部分を分断する第４のスリットとを具備し、前記第１のファスナー部材は前記第１と第３のスリットに挿通され、前記第２のファスナー部材は前記第２と第４のスリットに挿通され、前記第１の襠部と前記第１の壁部の隣接部分が前記第１のフランジ部に接合され、前記第１の襠部と前記第２の壁部の隣接部分が前記第２のフランジ部に接合され、前記第２の襠部と前記第１の壁部の隣接部分が前記第１のフランジ部により接合され、前記第２の襠部と前記第２の壁部の隣接部分が前記第２のフランジ部により接合されている請求項１２に記載のファスナー。
【請求項２１】
　バッグにおいて、
　一対の襠部により連結された前壁部および後壁部と、
　第１と第２の輪郭部分を備えた第１と第２のファスナー部材を具備し前記前壁部の幅よりも長いファスナーとを具備し、
　前記第１と第２の輪郭部分が噛合している間、前記第１と第２の襠部が前記第１と第２の輪郭部分の間に挟まれないようにしたバッグ。
【請求項２２】
　前記第１のファスナー部材が、前記第１の輪郭部分に連結された第１のフランジ部を具備し、前記第２のファスナー部材が、前記第２の輪郭部分に連結された第２のフランジ部を具備し、前記バッグは、前記第１の襠部と前記第１の壁部の隣接部分を分断する第１のスリットと、前記第１の襠部と前記第２の壁部の隣接部分を分断する第２のスリットと、前記第２の襠部と前記第１の壁部の隣接部分を分断する第３のスリットと、前記第２の襠部と前記第２の壁部の隣接部分を分断する第４のスリットとを具備し、前記第１のファスナー部材は前記第１と第３のスリットに挿通され、前記第２のファスナー部材は前記第２と第４のスリットに挿通され、前記第１の襠部と前記第１の壁部の隣接部分が前記第１のフランジ部に接合され、前記第１の襠部と前記第２の壁部の隣接部分が前記第２のフランジ部に接合され、前記第２の襠部と前記第１の壁部の隣接部分が前記第１のフランジ部により接合され、前記第２の襠部と前記第２の壁部の隣接部分が前記第２のフランジ部により接合されている請求項２１に記載のファスナー。
【請求項２３】
　前記第１のファスナー部材が前記１の壁部の外表面に接合され、前記第２のファスナー部材が前記第２の壁部の外表面に接合されている請求項２１に記載のバッグ。
【請求項２４】
　前記第１のファスナー部材が前記１の壁部の内表面に接合され、前記第２のファスナー部材が前記第２の壁部の内表面に接合されている請求項２１に記載のバッグ。
【請求項２５】
　前記ファスナーの下側のある高さ位置において前記バッグをシールする剥離可能なシール手段が設けられている請求項２１に記載のバッグ。
【請求項２６】
　前記ファスナーに取付けられたスライダを更に具備する請求項２１に記載のバッグ。
【請求項２７】
　襠付きバッグにおいて、
　第１と第２の襠部により連結された前壁部および後壁部と、前記前壁部の幅よりも長いファスナーとを具備し、
　前記ファスナーは第１と第２のファスナー部材を具備しており、前記第１と第２のファスナー部材は、前記第１の襠部に近接する第１の端部において接合され、前記第２の襠部に近接する第２の端部において接合されておらず、かつ、相互に噛合可能となっており、
　前記第１と第２のファスナー部材において、前記接合された第１の端部を除く部分が、噛合することにより前記ファスナーが閉鎖され、分離することにより前記ファスナーが開くようになっており、
　前記ファスナーが開いたときに、前記第２の襠部が注ぎ口を形成するようになっている襠付きバッグ。
【請求項２８】
　前記ファスナーに取付けられたスライダを更に具備する請求項２７に記載のバッグ。
【請求項２９】
　両端で接合された細長い第１と第２のファスナー部材を具備し、前記第１と第２のファスナー部材は接合された両端の間で噛合、分離可能に形成され、
　前記接合された端部の一方が剥離可能なシール材料によってのみ接合され、
　前記接合された他方の端部は永久的に接合されて成る装置。
【請求項３０】
　前記第１と第２のファスナー部材に沿って移動可能に取付けられたスライダを更に具備し、
　前記スライダが前記第１と第２のファスナー部材に沿って第１の方向に移動するとき前記第１と第２のファスナー部材が噛合し、反対の第２の方向に移動するとき前記第１と第２のファスナー部材が分離するようになっている請求項２９に記載の装置。
【請求項３１】
　前記第１と第２のファスナー部材の前記剥離可能なシール材料によって接合された端部配設された第１と第２のエンドストップを更に具備する請求項３０に記載の装置。
【請求項３２】
　前記第１と第２のファスナー部材の永久的に接合された端部に配設された第３のエンドストップを更に具備する請求項３１に記載の装置。
【発明の詳細な説明】
【技術分野】
【０００１】
　本発明は、開閉可能なパウチ、バッグその他の包装材料で用いるスライダで操作する柔軟なファスナー（スライドファスナーと記載する）に関する。より詳細には、本発明は、スライドファスナーを有した襠（gusset)付きの開閉可能な包装材料に関する。
【背景技術】
【０００２】
　開閉可能なファスナー集成体は、熱可塑性のパウチまたはバッグを密閉するのに有効である。こうしたファスナー集成体は、プラスチック製のファスナーおよびスライダを具備していることが多い。典型的にプラスチック製のファスナーは、閉鎖部材を形成する互いに噛合可能な一対のファスナー要素または輪郭部材を具備している。前記輪郭部材を横断してスライダが移動すると、前記輪郭部材が開閉する。プラスチック製ファスナーの輪郭部材は、所謂雄型輪郭部材と雌型輪郭部材とを有し、鉤形の閉鎖部材が噛合する。
【０００３】
　従来のスライドファスナー集成体は、典型的に２つの噛合する輪郭部材を有したプラスチック製ファスナーと、該ファスナーを開閉するためのスライダとを具備している。スライダはファスナーを上から跨るように配設され、その一端に、輪郭部材の間に挿入される分離部材を有している。分離部材は、スライダがファスナーに沿って開放方向に移動するとき、分離部材を互いに離反させる。スライダの他端は狭くなっており、スライダがファスナーに沿って閉鎖方向に移動するとき、輪郭部材を互いに押しつけてファスナーを閉じるようになっている。
【０００４】
　分離部材を使用しない他の形式のスライドファスナーもある。例えば、米国特許第５８０９６２１号に開示されたスライドファスナーでは、一方の輪郭部材にスライダと協同する一対のハンドルが設けられている。スライダが開放方向へ移動すると、前記一対のハンドルが互いに押圧されて輪郭部材の噛合が外れる。米国特許第５４４２８３８号に開示されたスライドファスナーでは、「ローリングアクション」によって輪郭部材が噛合、分離するようになっている。この「ローリングアクション」は、輪郭部材に設けられた指状部材と、スライダの腕部から内側に突出する肩部との間の協同によって得られると説明されている。米国特許第６０４７４５０号に開示のファスナーは互いに噛合可能な一対の輪郭部材を具備している。２つの輪郭部材の一部が支点を形成しており、該２つの輪郭部材の基部が互いに押圧されると、該支点を中心として輪郭部材が回動して輪郭部材が離反するようになっている。
【０００５】
　プラスチック製ファスナーを有した襠付きバッグは、開閉可能な包装材料の分野ではよく知られている。こうした襠付きバッグの１つの利点は、大きく開いてバッグへの充填を容易に行うことができ、その後、この内容物を容易に取出可能であることである。また、バッグ側部の襠の部分を引っ張って注ぎ口を形成し、バッグを傾けて、この襠の部分によって形成されたＶ字形の溝から内容物を注ぎ出すことを可能にしたものもある。
【０００６】
　こうしたバッグは、当初、バッグフィルムの２倍の厚さを捕らえるようにプラスチック製ファスナーを十分に大きし、これによって、包装材料を閉じたときに、バッグ側部の襠を挟み込むことが可能となっていた。近時のこの種の襠付きバッグでは、側部の襠は、噛合するファスナーの輪郭に配置され、バッグの壁部の他の部分と比較して相対的に薄くなった部分を含んでいる。
【０００７】
　米国特許第６３２５５４３号に開示された襠付きバッグでは、ファスナー部材は、基材の輪郭部材が形成されている部分がバッグの内側に取着され、バッグの開口部の領域で、基材の輪郭部材が形成されていない部分がバッグ側部の一部を形成するようになっている。襠部は、バッグの両側部で開いて注ぎ口を提供し、あるいは、一方の側部で接合され、反対の側部で注ぎ口を提供するようにできる。バッグの前後壁部および襠部は、輪郭部材を噛合することによって、また、襠部の輪郭部材が設けられていない部分をはさみ込むことによって互いに結合される。米国特許第６３２５５４３号は、スライドファスナーを開示していない。
【０００８】
　米国特許第６１８６６６３号は、スライドファスナーを備えた襠付きバッグの例を開示している。スライダは、襠部が折り畳まれている間、スライダの作用が阻害されないように形成されている。従って、開示された例では、スライダは分離部材を有してない。スライダによりファスナーが閉じられるとき、襠部の上方部分は折り畳まれ噛合するファスナーの輪郭部材の間に挟まれる。ファスナー部材の外側にスライダのファスナー端部からの脱離を防止するエンドストップが設けられている。ファスナーを全開する位置にスライダがある側で、襠部は常に折り畳まれている。その結果、包装体のその側では大きく開くことができない。と言うのは、襠部がファスナーの近傍で膨出させることができないからである。然しながら、特に包装体の底部への襠部の膨出は殆どまたは全く影響されない。
【特許文献１】米国特許第５８０９６２１号明細書
【特許文献２】米国特許第５４４２８３８号明細書
【特許文献３】米国特許第６０４７４５０号明細書
【特許文献４】米国特許第６３２５５４３号明細書
【特許文献５】米国特許第６１８６６６３号明細書
【発明の開示】
【発明が解決しようとする課題】
【０００９】
　本発明は、折り畳まれた襠部がファスナーの輪郭部材の間に挟み込まれないようにして、スライダが全行程に渡って一様かつ円滑に移動できるようにした襠付きバッグを提供することを目的とする。
【課題を解決するための手段】
【００１０】
　本発明の１つの特徴によれば、バッグは、第１と第２の壁部と、前記バッグの一側部に配設され前記第１と第２の壁部を連結する第１の襠部と、前記バッグの反対側の側部に配設され前記第１と第２の壁部を連結する第２の襠部と、少なくとも主要部分が前記第１の壁部に接合された第１のファスナー部材と、前記第２の壁部に接合された第２のファスナー部材とを具備する柔軟なファスナーであって、前記第１のファスナー部材が第１の輪郭部分を具備し、前記第２のファスナー部材が前記第１の輪郭部分に噛合して該ファスナーを閉じる第２の輪郭部分を具備して成るファスナーと、前記ファスナーに取付けられたスライダであって、該スライダが前記ファスナーに沿って第１の方向に移動する間前記ファスナーを閉じ、前記ファスナーに沿って前記第１の方向の反対の第２の方向に移動する間前記ファスナーを開くように形成されたスライダとを具備し、前記ファスナーが閉じている間、前記第１と第２の襠部が前記第１と第２の輪郭部分の間に挟まれないようになっている。
【００１１】
　本発明の他の特徴によれば、バッグは、第１と第２の壁部と、前記バッグの一側部に配設され前記第１と第２の壁部を連結する第１の襠部と、前記バッグの反対側の側部に配設され前記第１と第２の壁部を連結する第２の襠部と、少なくとも主要部分が前記第１の壁部に接合された第１のファスナー部材と、前記第２の壁部に接合された第２のファスナー部材とを具備する柔軟なファスナーであって、前記第１のファスナー部材が第１の輪郭部分を具備し、前記第２のファスナー部材が前記第１の輪郭部分に噛合して該ファスナーを閉じる第２の輪郭部分を具備して成るファスナーと、前記ファスナーに取付けられたスライダであって、該スライダが前記ファスナーに沿って第１の方向に移動する間前記ファスナーを閉じ、前記ファスナーに沿って前記第１の方向の反対の第２の方向に移動する間前記ファスナーを開くように形成されたスライダとを具備し、前記第１のファスナー部材の第１の端部が前記第２のファスナー部材の第２の端部に接合され、前記第１のファスナー部材が、前記第１の壁部の幅よりも長くなっており、前記第１の壁部の両側部を越えて延設されており、前記第２のファスナー部材が前記第１のファスナー部材と同じ長さ有し、前記第２の壁部の両側部を越えて延設されている。
【００１２】
　本発明の更に他の特徴によれば、バッグは、一対の襠部により連結された前壁部および後壁部と、第１と第２の輪郭部分を備えた第１と第２のファスナー部材を具備し前記前壁部の幅よりも長いファスナーとを具備し、前記第１と第２の輪郭部分が噛合している間、前記第１と第２の襠部が前記第１と第２の輪郭部分の間に挟まれないようになっている。
【００１３】
　本発明の更に他の特徴によれば、襠付きバッグは、第１と第２の襠部により連結された前壁部および後壁部と、前記前壁部の幅よりも長いファスナーとを具備し、前記ファスナーは第１と第２のファスナー部材を具備しており、前記第１と第２のファスナー部材は、前記第１の襠部に近接する第１の端部において接合され、前記第２の襠部に近接する第２の端部において接合されておらず、かつ、相互に噛合可能となっており、前記第１と第２のファスナー部材において、前記接合された第１の端部を除く部分が、噛合することにより前記ファスナーが閉鎖され、分離することにより前記ファスナーが開くようになっており、前記ファスナーが開いたときに、前記第２の襠部が注ぎ口を形成するようになっている。
【００１４】
　本発明の更に他の特徴によれば、両端で接合された細長い第１と第２のファスナー部材を具備し、前記第１と第２のファスナー部材は接合された両端の間で噛合、分離可能に形成され、前記接合された端部の一方が剥離可能なシール材料によってのみ接合され、前記接合された他方の端部は永久的に接合されて成る装置が提供される。
【発明を実施するための最良の形態】
【００１５】
　図１には本発明の１つの実施形態による開閉可能な襠付きバッグ１０が示されている。バッグ１０は、適当なシート材料またはプラスチックフィルムから形成することができる。襠付きバッグ１０は、底部１６から上方に延びる第１と第２の壁部１２、１４を具備している。壁部１２、１４は、膨張できる一対の襠部１８、２０によって、その両端部で接合されている。第１と第２の壁部１２、１４の各々は、また、頂縁部分２２、２４を有しており、該頂縁部分は襠部１８、２０によって互いに接合されている。該バッグの壁部は、低密度ポリエチレン、エチレンとＣ3-Ｃ8α−オレフィンの実質的に線型の共重合体、ポリ塩化ビニリデン、これらポリマーの２以上の混合物またはこれらポリマーと他の熱可塑性ポリマーとの混合物など種々の熱可塑性材料から形成することができる。
【００１６】
　バッグ１０の頂部には開放可能な開口部が設けられており、その外側に押出成型されたプラスチック製ファスナー２６が形成されている。ファスナー２６は、互いに噛合可能な一対のファスナー帯またはファスナー部材２８、３０を具備している。ファスナー部材２８、３０の輪郭は種々の形状とすることができる。例えば、ファスナーは噛合可能なリブ要素と溝要素を具備したり、或いは、鉤形の閉鎖部材とすることができる。好ましいファスナー材料はポリエチレンである。
【００１７】
　図１の実施形態では、ファスナー部材２８、３０は、頂縁部分２２、２４の外側に位置し、該頂縁部分に例えば熱シール、接着剤、接着帯材の活性化により接合されている。接合目的で各ファスナー部材の各々にフランジ部を設け、該フランジ部に各壁部の頂縁部分を接合するようにしてもよい。図１の実施形態では、ファスナー部材２８のフランジ部３２が、従来の熱シールによって壁部１２の頂縁部分２２に接合されている。ファスナー部材３０のフランジ部３４は、壁部１４の頂縁部分２４に接合されている。ファスナー２６が閉じている間、襠部１８、２０はファスナー部材の間に挟まれることはない。従って、開閉に際してファスナー部材が噛合、分離する際、ファスナー部材は、包装材料の全幅に渡って一様に応答する。また、ファスナー部材は、バッグフィルムが挟み込まれる領域を許容するように形成する必要はない。
【００１８】
　ファスナー部材２８、３０は同じ長さを有し、また、一端において強度熱シールによって融着されている。ファスナー部材の他端は、一旦バッグを開いた後は接合されていないようになっている。バッグを最初に開く以前において、上記他端は、ファスナー部材の接合されていない端部を意図せずに開放することに対して抵抗する剥離可能なシール（図示せず）によって接合することができ、これによって、不正開披の証拠を提供可能となる。ファスナー２６の長さは壁部１２、１４の幅よりも長くなっており、壁部１２、１４の側縁部を越えて延びている。
【００１９】
　ファスナー部材２８、３０は、従来のスライダ３８により噛合、分離される。スライダ３８は、ファスナー部材を上から跨るように形成されている。該スライダの両端は開いており、その間をファスナー部材が通過するようになっている。スライダは複数の部品を溶接して形成したり、或いは、スナップ式に嵌め込んで形成することができる。また、スライダは一体成型してもよい。スライダは射出成型などの種々の方法によって形成可能である。スライダは、ナイロン、ポリプロピレン、ポリスチレン、アセタール、ポリケトン、ポリブチレン、テレフタレート、高密ポリエチレン、ポリカーボネート、ＡＢＳ等の適当なプラスチック材料から形成可能である。
【００２０】
　ファスナーおよびスライダを備えたバッグは、好ましくは、エンドストップなどスライダが閉鎖位置または全開位置に到達したときに、該スライダがファスナー端部から脱離することを防止する手段を具備している。この種のエンドストップは、典型的に２つの機能を有している。すなわち、スライダがファスナー端部を越えて移動することを停止することと、バッグの通常の使用に際してファスナー部材に作用する応力によってバッグが開かないように２つのファスナー部材を共に保持することである。エンドストップは、例えば、ファスナー部材それ自体に押し潰されたされた部分、リベット止めされた部分、ファスナーに融着されたプラスチック製のクリップ、成型された端部ポスト、紫外線硬化したプラスチックその他の適当な構造を有することができる。ファスナーの接合された端部において、押し潰すことにより形成されたエンドストップは、該エンドストップが膨出したプラスチック材料によって形成されるように、スライダ停止位置の近傍に変形され互いに融着された部分とすることができる。この押し潰し成形は、例えば、熱および／または圧力若しくは超音波法を用いて行うことができる。
【００２１】
　図１の実施形態では、ファスナー部材の接合された端部はエンドストップ４０を有し、ファスナー部材２８の接合されていない端部はエンドストップ４２を有し、ファスナー部材３０の接合されていない端部はエンドストップ４４を有している。エンドストップ４０は、図１に示すファスナーの全開位置でスライダ３８を停止し、エンドストップ４２、４４は、図１には示されていない全閉位置で、組合わさってスライダを停止する。エンドストップ４０、４２、４４の好ましい形成方法は超音波彫刻である。好ましくは、エンドストップでのスライダの脱離に対する抵抗が最大となるように、ファスナー部材の上方部分のみを彫刻して溶融したプラスチック材料を上方に押し流し、ファスナー部材の残りの下方部分またはレール部はそのままにする。
【００２２】
　こうして、ファスナーの両端に配置されたエンドストップによりスライダの移動を限定しながら、スライダ３８がファスナー２６に沿って双方向にスライド自在となる。スライダが、エンドストップ４２、４４に当接する位置へ向け図１に示す位置から左方へ移動するとき、ファスナーは、スライダ内のある点からエンドストップ４０へ順次閉じる。これに対してスライダが反対方向へ、つまり、図１の位置へ向けて戻るとき、ファスナー部材２８、３０はスライダの左側で分離する。ファスナー部材２８、３０においてエンドストップ４２、４４が設けられている端部は接合されていないので、ファスナー部材のこの端部を開いて両者間にある襠部を膨出させることにより、使用者は襠付きバッグ１０内へ更にアクセスすることができる。
【００２３】
　頂縁部分２２、２４および襠部１８、２０を水平な帯状の領域または部分に沿って接合する剥離可能なシール３６をバッグ１０に設けててもよい。剥離可能なシール３６の１つの目的は、バッグの内容物をファスナーの下側のある高さで気密にシールすることである。剥離可能なシール３６の他の目的は、該パッケージの内容物の不正開披の証拠とすることである。この場合、バッグ１０を開封するために、ユーザは単にスライダを移動させてファスナーを開放し、ファスナー部材２８、３０を把持して剥離可能なシール３６が破れるまでそれらを離反するように引っ張ればよい。
【００２４】
　ファスナー２６が完全に開き剥離可能なシール３６が破れたら、分離したファスナー部材の端部に対して内側に折り畳まれている襠部２０を図２に示すように反対側に折り返して、バッグの内容物を注ぎ出すための注ぎ口とする。本実施形態では、襠部２０は、中心の折れ線６２で連結されたパネル４６、４８を具備している。折れ線６２の反対側においてパネル４６は折れ線６４で前壁部１２に連結されている。同様に、パネル４８は、折れ線６６で後壁部１４に連結されている。更に、襠部２０は、前後壁部の縁部に沿って接合され、かつ、折り畳まれた１つの独立の部材とすることもできる。この構成は図示されていない。
【００２５】
　本発明の他の実施形態では、ファスナーの両端を押し潰してエンドストップを形成し、２つのファスナー部材を接合するようになっている。こうしたバッグの構成が図４に略示されており、また、こうしたバッグの一側が図３に示されている。ファスナー部材２８、３０は両端において熱融着されており、各エンドストップ４０、４０′が押し潰しプロセスにより形成される。既述した実施形態と同様に、ファスナーの両端は前後壁部１２、１４の側縁部を越えて延設されている。
【００２６】
　図３、４の実施形態では、然しながら、ファスナー部材のフランジ部を前後壁部１２、１４の頂縁部分の外側に接合することに代えて、フランジ部は壁部の内側に接合されている。そのために、襠部２０が前後壁部を連結する折れ線にスリット５６、５８が形成されている。より詳細には、襠部２０は、折れ線５２に沿って前壁部１２に連結され、かつ、その最上部にスリット５６が形成された前パネル４６を具備している。スリット５６、５８は、図４において、壁部１２、１４の左側の縁部を襠部２０の前パネル４６および後パネル４８の対面する縁部からから分離する間隙により示されている。同様に、図４に図示するように、スリット７２、７４が、壁部１２、１４の右側の縁部を襠部１８のパネル６８、７０の対面する縁部からから分離する間隙により示されている。ファスナー部材２８のフランジ部がスリット５６、７２内に挿入され、次いで、壁部１２の頂縁部分の内側に接合される。同様に、ファスナー部材３０のフランジ部がスリット５８、７４内に挿入され、次いで、壁部１４の内側に接合される。
【００２７】
　図３を参照すると、壁部１２においてスリット５６に近接する細い部分が、フランジ部３２の外表面に接合され、スリット５６に隣接する（同時に壁部１２の側部シールに対面する）パネル４６の細い部分がフランジ部３２の内表面に接合され、これにより、スリット５６が閉じられる。同様に、壁部１４においてスリット５８に近接する細い部分が、フランジ部３４の外表面に接合され、スリット５８に隣接する（同時に壁部１４の側部シールに対面する）パネル４８の細い部分がフランジ部３４の内表面に接合され、これにより、スリット５８が閉じられる。スリット７２、７４（図４参照）も同様に閉じられる。
【００２８】
　その結果、ファスナーのフランジ部がバッグの前後壁部の内面に縦横に接合され、かつ、隣接する各パネルの内面に縦方向に接合されたマチつきバッグが形成される。好ましくは、バッグのフィルムは、比較的低融点の熱可塑性シーラント材料からなる層と、比較的高融点の熱可塑性材料から成る層とを有したプラスチック積層フィルムである。シーラント材料からなる層は、フィルムにおいてバッグの内側に面した側に設けられる。こうして、既述したパネルの接合は、融着の裏抜けを生ずることなく行うことができる。と言うのは、各襠部のパネルの対面する表面が比較的高融点熱可塑性材料から形成されているからである。接合温度は、低融点シーラント材料が溶融し、高融点の外層が溶融しない温度に選択される。シーラント材料は、たとえば、（１）外層（たとえばポリエチレンから成る）の融点よりも低い温度で溶融する塊状ポリオレフィン（好ましくは、ポリプロピレン−エチレン共重合体）と、（２）熱可塑性エラストマから形成することができる。例えば、シーラント層は、SEBSと、エチレン−プロピレンを含むことができる。他の適当なシーラント材料を用いてもよい。
【００２９】
　開閉可能な包装材料の分野の当業者は、ファスナーを一端のみまたは両端に接合されても、ファスナーは、図１に示すように、前後壁部の頂縁部分の外表面、または、図３、４に示すように、前後壁部の頂縁部分の内面に取付け可能であることが理解できよう。
【００３０】
　特定の適用例では、バッグの両側部において、スライダが（エンドストップ４０に隣接した）全開位置または（エンドストップ４０′または４２、４４に隣接した）全閉位置にあるとき、ファスナーの開口部がバッグの開口部と重ならないような距離を以ってエンドストップを外側に配置することが望ましい。
【００３１】
　ファスナーの両端が接合される例では、スライダが全開位置にあるとき、スライダ側にある襠部が完全に膨出可能となるような距離を以ってスライダがバッグから離間するようにすることが望ましい。同時に、ファスナーの反対側のエンドストップは、バッグの反対側の襠部が完全に膨出可能となりバッグの開口部が広がるような距離を以って配置される。
【００３２】
　なお、特許請求の範囲の記載において「接合」との語は、接着および／または熱および圧力の付与、超音波エネルギーの付与、接着剤、剥離シール材料(peel seal material)、結合剤(bonding agent)から成る層の付与、または、接着ストリップ(adhesive strip)または結合ストリップ(bonding strip)の配置による熱融着、結合(bond)またはシールを意味する。
【図面の簡単な説明】
【００３３】
【図１】本発明の１つの実施形態によるスライドファスナーを有した開閉可能な襠付きバッグの斜視図である。
【図２】襠部の一方を膨出させて注ぎ口を形成した図１の襠付きバッグの斜視図である。
【図３】本発明の他の実施形態によるスライドファスナーを有した開閉可能な襠付きバッグの斜視図である。
【図４】図３の実施形態のファスナーと襠部との位置関係を示す略図である。
【符号の説明】
【００３４】
１０…襠付きバッグ
１２…第１壁部
１４…第２壁部
１８…襠部
２０…襠部
２６…ファスナー
２８…ファスナー部材
３０…ファスナー部材
３８…スライダ
【図１】
2004123236.tif 000003
【図２】
2004123236.tif 000004
【図３】
2004123236.tif 000005
【図４】
2004123236.tif 000006